(57)【要約】【課題】    従来の頭部に装着する熱交換キャップ（頭部冷却キャップ）において、キャップと頭皮との隙間が形成された領域における冷却効率は低下し、脱毛が生じてしまうなどの課題について、該頭部冷却キャップと頭皮の間に隙間なく均一的に密着させての装着が好適かつ簡単に適合させるその頭部冷却キャップの製作において、従来の金型成型技術などの加工方法によらないで、頭部形状の形成を容易に製作できる方法を提供することにある。【解決手段】    熱交換キャップなどの製作を市販されている医療用シリコンチューブなどの部材を用いて、頭部形状に形成させる製作方法の考案を図る。また「抗がん剤を投与しない前後の冷却保持状態」において、前記頭部冷却キャップが頭部冷却装置本体から着脱自在となるように前記頭部冷却キャップ部側にカップリング機構部を有する接続部を具備させる構成にして、療治対象者に利便性の高い頭部冷却装置を提供する。【選択図】  図１
2014023604.tif 000002
【特許請求の範囲】
【請求項１】
療治対象者の頭部に装着する頭部冷却キャップ（２）であって、冷却循環液体(１０A)を流動させる空間を有するチューブ状の冷却液循環チューブ(７)は、供給流路チューブ（７a）と返送流路チューブ（７b）のそれぞれ複数チューブ部材を並列に同期させて、該チューブ部材を螺旋状の頭部冷却キャップ（２）に形成させるための変換部材（８）を、前記頭部冷却キャップ（２）の中心部に設けられている。前記チューブ部材や変換部材の材質は、医療用シリコンチューブなどの柔軟で伸縮性のある素材により、従来の成型品によるリブ状の隔壁部などを形成して頭皮に接する不均一な冷却面積比などに比べて、頭皮に密着して接する冷却面積比が大きく、また、均一的な冷却作用面により効率的な冷却作用効果が得られるようになっている。また、療治対象者の頭部形状およびサイズに相違がある場合でも頭部全体に頭皮に密着して覆うことが出来るように形成させる冷却液循環チューブ（７）固定保持用の十字形弾性体支持フレーム（３）で構成されている。また、従来の熱交換キャップ（頭部冷却キャップ）形状の形成を行う場合での金型成型技術や二次加工機などの専用の加工機を必要としない成形方法で形状形成されていることを特徴とする頭部冷却ユニット。
【請求項２】
請求項１の頭部冷却ユニットであって、頭部冷却キャップ（２）に冷却循環液体(１０A)を供給する頭部冷却装置本体（１）は、冷却発生器（９）組込装着の冷却液体貯蔵槽（１０）が複数に連結されている。該冷却液体貯蔵槽（１０）と前記頭部冷却キャップ（２）が接続されたチューブ空間内を流動する冷却循環液体(１０A)の液体温度計測のために、接続部材を兼ねた流動液体温度センサーＡ（１３A）と前記頭部冷却キャップ（２）に冷却循環液体(１０A)を供給する側の前記冷却液体貯蔵槽（１０）に取付けられた流動液体温度センサーB（１３B）および頭皮部温度計測用の頭皮温度センサー（１４）が頭部冷却装置本体（１）の筐体内に配備されたAC電源部（１９）または内蔵電源（２０）から電源供給される電気回路制御部（コンピューター制御）（１６）にて演算処理され作動するように接続してある。また、治療中の頭部冷却キャップ（２）で吸熱した流路内の冷却循環液体(１０A)は、半メンテナンスフリーの密閉循環回路にて、複数の冷却液体貯蔵槽（１０）で段階的に再冷却されて、療治対象者の頭部に安定した冷却循環液体(１０A)を設定基準値（約４℃〜１６℃前後での任意設定）で供給循環させる冷却循環液体温度の制御システムで構成されていることを特徴とする請求項１記載の頭部冷却ユニット。
【請求項３】
請求項１および２の頭部冷却ユニットであって、頭部冷却キャップ（２）の装着状態での療治対象者の治療経過観察を行う頭皮部温度管理に加えて、冷却液循環チューブ（７）固定保持用の十字形弾性体支持フレーム（３）の横断帯部（側頭部）の端面部には、治療中の脳波や集中度合及び安静度合などが測定可能な脳波測定用電極部（１７）が前記冷却液循環チューブ（７）間の隙間部を貫通して固着してあり、前記脳波測定用電極部（１７）に専用測定装置または、市販製などの超小型の脳波測定装置（１７a）が着脱自在となるように構成されている。前記脳波測定装置（１７a）には、リチウムイオン充電池が内蔵されており、また、ワイヤレスで接続できる機能により、頭部冷却装置本体（１）に具備した着脱自在なコントロールパネル（１８）やワイヤレス機能搭載のタブレットコンピュータおよびスマートフォン(インターネットアクセス機能などが組み込まれた携帯電話)などの端末機器(Androidからはシリアル通信として制御可能)で療治対象者の治療の進行状況が適時に確認およびデータ保存が可能となることを特徴とする請求項１、２および３記載の頭部冷却ユニット。
【請求項４】
頭部冷却キャップ（２）は、療治対象者が「抗がん剤を投与しない前後の冷却保持状態」において、前記頭部冷却キャップ（２）の装着状態で、頭部冷却装置本体（１）からの冷却循環液体(１０A)の供給を一時停止して、一時的な歩行や移動などが容易となるように頭部冷却キャップ（２）側に、着脱自在に接続および離脱が可能で、離脱時にスピレッジ（滴）が極少なカップリング接続部（１２）を具備させたことを特徴とする請求項１、２および３記載の頭部冷却ユニット。
【請求項５】
療治対象者が「抗がん剤を投与しない前後の冷却保持状態」において、頭部冷却キャップ（２）を装着した状態でも一時的な歩行や移動などが容易とするために、頭部冷却装置本体（１）に充電式電源バッテリーや燃料電池などの内蔵電源（２０）を搭載させた小型でスリム、かつ軽量化に特化されている。また、可搬性などにも配慮して、頭部冷却装置本体（１）をキャリングカート（２１）に載置や肩掛けベルト（２２）、リュックサックベルト（２３）などの装備により、直接に身体に装着が容易となる頭部冷却装置本体（１）を特徴とする請求項１、２、３および４記載の頭部冷却ユニット。
【発明の詳細な説明】
【技術分野】
【０００１】
本発明は、頭部に損傷などのダメージを負った患者や化学療法または類似の処置を受けている患者の副作用の軽減および防止のために、頭部に配置して冷却する装置に関する。
【背景技術】
【０００２】
従来、頭部に損傷などのダメージを負った患者や療治対象者の頭部体温が発熱時に頭部を冷却することが行われている。この頭部を冷却する方法として、氷嚢を頭部にあてる方法や頭部に冷風を供給する方法があった。例えば、脳卒中を患う患者の治療のため、療治対象者の頭部を冷却することは、脳卒中に起因するダメージを軽減および治療する方法である。又、抗がん剤の投与の化学療法または類似の処置を受けている療治対象者は、多くの場合、抗がん剤の投与による副作用として起こる悩みの一つに脱毛があります。この脱毛を軽減する方法として、抗がん剤を投与の前後を含めての治療時に、頭部全体を冷却する方法が有効とするデータが当該関連分野での最新誌面等でも公表されている。これは頭部を低温状態に保つことで血管の収縮作用が起こり、抗がん剤が毛髪の毛根に浸透しにくくなり、かかる脱毛の防止、あるいは脱毛の減少を防げることが可能である。
【０００３】
従来の頭部冷却装置として、頭部に装着されるキャップで該キャップの内面に設けられた内張との間に液密又は気密的に形成された冷却室と前記キャップの上部に、前記冷却室に下端が開口する冷却材供給部材とこの冷却室の他の一端が開口する冷却流体の供給管及び返送管に連結された冷却流体発生手段とを備えている頭部冷却装置や患者の頭部上に配置される熱交換キャップおよび外部断熱カバーを備え、柔軟で伸縮性のある素材または伸縮性のないプラスチック素材や他の素材製での１枚あるいは、２枚または数枚の重ねられたシートからできた平らなバッグであって、成型、溶着、接着、縫合などの加工が行われ、または、その他の方法により、内部ヘッドカバー内に１つの空洞又は複数の独立した空洞が形成されている。また、頭皮の局所部の温度を測定するための頭皮温度センサーが取り付けられているものが知られている（例えば、特許文献１および特許文献２参照）。
【先行技術文献】
【特許文献】
【０００４】
【特許文献１】特開平８−６０４２３号公報
【特許文献２】特表２０１０−５１７７１７号公報
【発明の概要】
【発明が解決しようとする課題】
【０００５】
しかし、上記の発明および従来の頭部冷却装置類の弱点は、頭部に装着する装着形状の熱交換キャップ（頭部冷却キャップ）の成形品において、療治対象者の頭部サイズに合わせた数種類の柔軟性のある素材での成形品であっても、冷却流路を形成するためにリブ状の隔壁部で形成される成型品であるため、頭皮部に接触する熱交換作用面は前記リブ状の隔壁部の面や流路部の肉厚が不均一になっており、頭皮面に接する冷却面積比が小さく、熱交換作用面はその全ての表面が頭皮と密着するように覆われず、頭皮の冷却が十分に行われなくなる。この結果、前記熱交換キャップと頭皮との隙間が形成された領域における冷却効率は低下し、脱毛が生じてしまうなどの問題があった。
【０００６】
また、従来の頭部冷却装置や他の出願されている発明は、該頭部冷却装置が治療室などの定位置に設置して、療治対象者が横臥や着座姿勢の状態での長時間（抗がん剤の投与前と投与後の各３０分前後と、投与中の約１〜２時間程度）での熱交換キャップ（頭部冷却キャップ）装着の状態であり、療治対象者の治療中での緊張緩和対策などの課題があった。
【０００７】
そこで、本発明は、前記熱交換キャップ（頭部冷却キャップ）と頭皮の間に隙間なく均一的に密着して装着が好適かつ簡単に適合させるその頭部冷却キャップを容易に製作できる成形方法や上記の従来技術での弱点の改善を課題として、療治対象者の「抗がん剤を投与しない前後の冷却保持状態」において、頭部冷却キャップを装着した状態で、治療を中断することなどの支障が出ない工夫で、一時的な歩行や動作が容易となるように、療治対象者に対して利便性かつ療治効果を高める頭部冷却ユニットの提供を目的とする。  
【課題を解決するための手段】
【０００８】
本発明は、上記での従来技術などの課題解消の達成をするために次のような手段で解決せんとするものである。
請求項１にかかる発明は、療治対象者の頭部に装着する頭部冷却キャップであって、冷却循環液体を流動させる空間を有するチューブ状の部材の供給流路と返送流路のそれぞれ複数チューブを並列に同期させて、該チューブ部材を螺旋状の頭部冷却キャップに形成させるための変換部材を、頭部冷却キャップの中心部に設け、前記チューブ状の材質は、医療用シリコンチューブなどの柔軟で伸縮性のある素材により、頭皮に密着して接する冷却面積が均一的になり、効率的な冷却作用が得られる。また、療治対象者の頭部形状およびサイズに相違がある場合でも、頭部全体に密着して覆うことが出来るように形成させる冷却液循環チューブ固定保持用の十字形状弾性体支持フレームで構成されている。また、従来の熱交換キャップ（頭部冷却キャップ）形状の形成を行う場合での金型成型技術や専用の二次加工機などを必要としない成形加工方法で形状形成されている。
【０００９】
また、請求項２にかかる発明は、請求項１の頭部冷却ユニットであって、頭部冷却キャップに冷却循環液体を供給する頭部冷却装置本体には、冷却発生器組込装着の冷却液体貯蔵槽が複数に連結されており、前記頭部冷却キャップには、接続部材を兼ねた冷却液循環チューブ空間内を流動する液体温度計測用の流動液体温度センサーＡおよび頭皮部温度測定用の頭皮温度センサーが具備されている。これらのセンサー類が接続されて作動する電気回路制御部（コンピューター制御）も配備されている。また、前記頭部冷却装置本体の筐体外装面の天面に装備した着脱可能なコントロールパネルは、一連の運転操作や設定機能（冷却循環液体温度設定など）および治療中の作動状況の確認が可能となるように電気回路制御部（コンピューター制御）に接続されている。治療中の頭部冷却キャップで吸熱した冷却循環液体は、半メンテナンスフリーの密閉循環回路にて、複数で構成される冷却液体貯蔵槽で段階的に再冷却され、療治対象者の頭部に安定した設定基準値（約４℃〜１６℃前後での任意設定）で冷却循環液体を供給循環させる冷却循環液体温度の制御システムで構成されている。
【００１０】
また、請求項３にかかる発明は、請求項１および２の頭部冷却ユニットであって、頭部冷却キャップの装着状態での療治対象者の治療経過観察を行う頭皮部温度管理に加えて、冷却液循環チューブ固定保持用の十字形弾性体支持フレームの横断帯部（側頭部）の端面部には、治療中の脳波（生波形、デルタ波、シータ波、低アルファ波・高アルファ波、低ベータ波・高ベータ波、低ガンマ波・中ガンマ波など）や集中度合及び安静度合などが測定可能な脳波測定用電極部が前記冷却液循環チューブ間の隙間部を貫通して固着してある。この脳波測定用電極部には専用測定装置または、市販製などの超小型の脳波測定装置が着脱自在となるように構成してある。該脳波測定装置には、リチウムイオン充電池が内蔵されており、また、ワイヤレスで接続できる機能により、頭部冷却装置本体の筐体外装部天面に装着した着脱自在なコントロールパネルやワイヤレス機能搭載のタブレットコンピューターおよびスマートフォン(インターネットアクセス機能などが組み込まれた携帯電話)などの端末機器(Androidからはシリアル通信として制御可能)で、療治対象者の治療の進行状況が適時に確認およびデータ保存が可能となるように構成されている。
【００１１】
また、請求項４にかかる発明は、療治対象者が治療中の「抗がん剤を投与しない前後の冷却保持状態」において、頭部冷却キャップの装着状態で、頭部冷却装置本体からの冷却循環液体の供給を一時停止して、一時的な歩行や移動などが容易となるように、頭部冷却キャップ側に、着脱自在に接続および分離が可能なカップリング接続部を具備されている。
【００１２】
また、請求項５にかかる発明は療治対象者が「抗がん剤を投与しない前後の冷却保持状態」において、頭部冷却キャップを装着した状態でも一時的な歩行や移動等が容易となるように可搬性にも配慮して、頭部冷却装置本体に充電式電源バッテリーや燃料電池などの内蔵電源を搭載されており、キャリングカートなどに載置しての移動などが容易となる、また、肩掛けベルトやリュックサックベルトなどの装備により、直接に身体に装着が可能な小型でスリム、かつ軽量の頭部冷却装置本体を特徴とする。
【発明の効果】
【００１３】
本発明は、上述の如く構成されるので、次に記載する効果を奏する。
療治対象者の頭部を冷却して、深部体温を通常の生理的範囲に下げ、かつ適切に頭部体温を一定の温度範囲に保持できる頭部冷却ユニットであって、患者の頭部を覆って配置される頭部冷却キャップは、従来の成型品によるリブ状の隔壁部を含めた頭皮に接する不均一な冷却面積の冷却効率などに比べて、本発明はチューブ部材であるため、頭皮に密着して接する冷却面積が均一的になり、効率的な冷却作用が得られる。また、従来の熱交換キャップ（頭部冷却キャップ）形状の形成を行う場合の金型成型技術や二次加工機による成形加工方法での専用の金型および加工機などを用いないため、簡易で安価に製造が可能となる。
【００１４】
また、頭部冷却キャップ側に、着脱自在に接続および分離が可能なカップリング接続部を具備し、頭部冷却装置本体は、可搬性にも優れた軽量で小型かつスリムで、充電式電源バッテリーや燃料電池などの内蔵電源を搭載しており、キャスター装備したキャリングカートに載置しての移動や、また、肩掛けベルトやリュックサックベルトなどの直接に身体に装着が容易となるため「抗がん剤を投与しない前後の冷却保持状態」において、治療を中断することなく一時的な歩行や移動が容易となり、療治対象者には極めて利便性が高い。
【図面の簡単な説明】
【００１５】
【図１】本発明の実施の一形態での全体外観の説明を兼ねた斜視図である。
【図２】頭部冷却キャップ装着での使用状態の部分斜視図である。
【図３】薄型保護キャップ装着状態の部分斜視図である。
【図４】図３での頭部冷却キャップ装着状態を破線で示す斜視図である。
【図５】頭部冷却キャップ部の液体流路を説明する平面展開図である。
【図６】本発明の実施状態を説明する本体部断面図及び液体流路を説明する平面展開図である。
【図７】図６の冷却発生器ユニット組込装着部の構成を説明する部分断面図である。
【図８】脳波測定装置取付部の脳波測定電極部を示す斜視図である。
【図９】図８での脳波測定装置を取付けた状態を示す斜視図である。
【図１０】冷却装置本体に肩掛けベルトを装備した状態を示す斜視である。
【図１１】冷却装置本体にリュックサックベルトを装備した状態を示す斜  視図である。
【発明を実施するための形態】
【００１６】
以下に、図示の実施形態に基づき本発明を詳説する。  
本発明の一実施形態での頭部冷却ユニットは図１に示すように頭部冷却装置本体１に冷却液循環チューブ７で接続された頭部冷却キャップ２および「抗がん剤を投与しない前後の冷却保持状態」において、一時的な移動などが容易となるようにキャリングカート２１へ載置した状態で構成されている。
【００１７】
図２に、前記頭部冷却キャップ２および、療治対象者の頭部に装着して頭部キャップ固定ベルト４にて固定するため、冷却液循環チューブ７固定保持用の十字形弾性体支持フレーム３の外面部に、前記頭部キャップを固定する固定ベルト用フック５と頭皮部温度計測用の頭皮温度センサー１４および、リード線１４aを固定するリード線固定具５aが具備されている。また、治療中の療治対象者が「抗がん剤を投与しない前後の冷却保持状態」において、頭部冷却キャップ２の装着状態で、頭部冷却装置本体１（図示省略）からの冷却循環液体１０Aの供給を一時停止して、一時的に歩行や移動などが容易となるように、頭部冷却キャップ２側に、着脱自在に接続および、分離が可能なカップリング接続部１２が具備されている。また冷却液循環チューブ７の空間内を流動する冷却循環液体１０Aの温度を計測するために、頭部冷却キャップ２側にカップリング接続部１２を兼ねた返送流路チューブ７b側に流動液体温度センサーＡ１３Aを具備されている。該流動液体温度センサーＡ１３Aのリード線１３aは、頭皮部温度計測用の頭皮温度センサー１４のリード線１４aとともに、接続コネクター１５にて接続されている。
【００１８】
図３および図４は、頭部冷却キャップ２装着時に薄型保護キャップ６を被った状態での冷却液循環チューブ７（図示部分省略）からカップリング接続部１２と接続コネクター１５を接続状態と離脱させた状態を示す。薄型保護キャップ６は、断熱効果の高い繊維素材等で、内壁面（図示省略）には、断熱作用のあるアルミ蒸着などの処理が施されてあり、かつ、非常に薄く軽量であるため、前記頭部冷却キャップ２装着の上から被っても装着感を感じない配慮がされている。かかる薄型保護キャップ６の上からも日常に着用の市販されている帽子（図示は省略）などを被ることが可能となっている。
【００１９】
図５に示すように、頭部に装着する頭部冷却キャップ２に冷却循環液体１０Aを流動させる空間を有するチューブ状の冷却液循環チューブ７は、供給流路チューブ７aと返送流路チューブ７bのそれぞれ複数チューブ部材を並列に同期させて、該チューブ部材を螺旋状の頭部冷却キャップ２に形成させるための変換部材８を、頭部冷却キャップ２の中心部に設け、前記変換部材８の外周部の一端には、供給流路チューブ７aが固着されている。また、該変換部材８の平面矢視で、形状の中心線を基準として、対象側の対角部に他方の返送側チューブ７bが固着されている。前記チューブ部材や変換部材の材質は、医療グレードのシリコンゴムなどの柔軟で伸縮性のある素材により、療治対象者の頭部形状およびサイズに相違がある場合でも頭部全体に密着して覆うことが出来るように形成されている。
【００２０】
図６および図７に示すように、頭部キャップ２で吸熱された冷却循環液体１０Aは頭部冷却キャップ２のカップリング接続部１２を兼ねた返送流路チューブ７b側に設けた流動液体温度センサーＡ１３Aと頭皮部温度計測用の頭皮温度センサー１４の計測値が冷却循環液体１０Aの設定基準値（約４℃〜１６℃前後での任意設定）が変化をした場合、頭部冷却装置本体１に配備されたAC電源部１９または内蔵電源２０から電源供給される電気回路制御部（コンピューター制御）１６で演算処理にて作動し、返送流路チューブ７bからの冷却循環液体１０Aを複数に連結された冷却液体貯蔵槽１０で段階的に除熱して冷却される。また、供給側の冷却液体貯蔵槽１０に設けられた流動液体温度センサーＢ１３Bにより設定基準値（約４℃〜１６℃前後での任意設定）で保冷されている冷却循環液体１０Aを再び、循環ポンプ１１の作動にて、半メンテナンスフリーの密閉循環式回路で冷却液循環チューブ７の供給流路チューブ７aから冷却循環液体１０Aを療治対象者の頭部キャップ２に安定して、供給循環させる冷却循環液体温度の制御システムで構成されている。
【００２１】
前記冷却液体貯蔵槽１０が複数で連結されている単体槽は断熱カバー１０aで被覆保護されており、容器の材質は、ステンレスや銅およびアルミなどで、内容量は、頭部キャップ２（図示省略）部に充填される容量とほぼ同量であり、前記冷却発生器９は、前記冷却液体貯蔵槽１０に組込装着する冷却プレート９aに熱伝素子９b（ペルチェモジュール）と放熱フィン９cおよび放熱側ファン９dで構成されている。
【００２２】
図８乃至図９に於いて、頭部冷却キャップ２の装着状態での療治対象者の治療経過観察を行う頭皮部温度管理に加えて、冷却液循環チューブ７固定保持用の十字形弾性体支持フレーム３の横断帯面（側頭部）の端面部には、治療中の脳波（生波形、デルタ波、シータ波、低アルファ波・高アルファ波、低ベータ波・高ベータ波、低ガンマ波・中ガンマ波など）や集中度合及び安静度合などが測定可能な脳波測定用電極部１７が前記冷却液循環チューブ７間の隙間部を貫通して固着してあり、前記脳波測定用電極部１７に専用測定装置または、市販製などの超小型の脳波測定装置１７aが着脱可能となる。
【００２３】
図１０及び図１１に「抗がん剤を投与しない前後の冷却保持状態」において、頭部冷却キャップ２を装着した状態でも一時的な歩行や移動等が容易とするために、冷却発生装置本体１に、身体に直接に装着する肩掛けベルト２２およびリュックサックベルト２３が装備されている。
【００２４】
［実施形態の効果］
この実施形態によれば、頭部に装着する頭部冷却キャップ２の冷却循環液体１０Aを流動させる空間を有するチューブ状の冷却液循環チューブ７は、柔軟で伸縮性のある素材で、頭部形状およびサイズに相違がある場合でも頭部全体に密着して覆うことが出来るように形成させる冷却液循環チューブ７固定保持用の十字形弾性体支持フレーム３で構成されていることにより、従来の熱交換キャップ（頭部冷却キャップ）形状の形成を行う場合での金型成型技術や二次加工装置などの専用の加工機を必要としない成形方法で形状形成が可能となる。
【００２５】
頭部冷却キャップ２装着時に、冷却効果保持用の断熱作用のある薄型保護キャップ６も備えており、かかる薄型保護キャップ６は、非常に薄くて軽く、かつ断熱効果の高い繊維素材等で内壁面にも断熱処理加工が施されてあり、前記頭部冷却キャップ２装着の上から被っても装着感を感じない配慮がされているため、日常に着用の市販されている帽子（図示は省略）などを被ることも可能であり、療治対象者の対面的な精神的での緩和への効果にもなる。
【００２６】
頭部冷却キャップ２に装着した頭皮部や冷却循環液体１０Aの温度測定センサーと連動して治療中の頭部冷却キャップ２で吸熱した流路内の冷却循環液体１０Aは、返送流路チューブ７bにて、複数に連結された冷却液体貯蔵槽１０で段階的に再冷却されるように構成されており、療治対象者の頭部冷却キャップに設定基準値（約４℃〜１６℃前後での任意設定）による安定した冷却循環液体１０Aを供給循環できる。
【００２７】
冷却液循環チューブ７固定保持用の十字形弾性体支持フレーム３の横断帯面（側頭部）の端面部には、治療中の脳波や集中度合及び安静度合などが測定可能な脳波測定用電極部１７が前記冷却液循環チューブ７間の隙間部を貫通して固着してあり、前記脳波測定用電極部１７に専用測定装置または、市販製などの超小型の脳波測定装置１７a が着脱自在となるように構成されている。該脳波測定装置１７aには、リチウムイオン充電池が内蔵されている。また、ワイヤレスで接続できる機能により、頭部冷却装置本体１に具備した着脱自在なコントロールパネル１８や  ワイヤレス機能搭載のタブレットコンピューターおよびスマートフォン(インターネットアクセス機能などが組み込まれた携帯電話)などの端末機器(Androidからはシリアル通信として制御可能)でも頭部冷却キャップ２の装着状態での療治対象者の頭皮部温度管理に加えて療治対象者の治療経過観察が的確に行える。
【００２８】
「抗がん剤を投与しない前後の冷却保持状態」において、前記頭部冷却キャップ２の装着状態で、頭部冷却装置本体１からの冷却循環液体１０Aの供給を一時的に停止が可能となるように頭部冷却キャップ２側に、着脱自在に接続および分離が可能なカップリング接続部１２が設けられているため、一時的な歩行や移動などが容易となる。
【００２９】
充電式電源バッテリーや燃料電池など内蔵電源２０を搭載して、可般性などにも配慮した小型でスリム、かつ軽量化に特化した頭部冷却装置本体１であるため、キャリングカート２１に載置や、また、肩掛けベルト２２やリュックサックベルト２３などの装備により、直接に身体に装着が容易となるため「抗がん剤を投与しない前後の冷却保持状態」において、頭部キャップ２を装着した状態でも一時的な歩行や移動などが容易となる。
【００３０】
［他の実施形態］
図７の実施形態では、複数に連結するように構成された冷却液体貯蔵槽１０に組込装着された冷却発生器９は、熱伝素子９b（ペルチェモジュール）での非常にコンパクトな冷却方式であるが、他の実施形態では、同じくコンパクトな熱吸収式（図示省略）などの冷却作動方式（ヒーターで触媒を加熱して熱を吸収する技術）による冷却方式でも良い。
【００３１】
なお、本発明は、上述の実施の形態に限定されず、頭部冷却キャップ２に冷却液循環チューブ７にて冷却循環液体１０Aを供給する冷却発生器９組込装着の冷却液体貯蔵槽１０が複数に連結するように構成されている数量や、組込装着の形態。また、冷却循環液体１０Aを流動させる空間を有する冷却液循環チューブ７の供給流路チューブ７aと返送流路チューブ７bのチューブ部材を並列にして同期配置させる数量や該チューブ部材を螺旋状の頭部冷却キャップ２に形成させるための変換部材８および冷却液循環チューブ固定保持用の十字形弾性体支持フレームの用途例での形状や材質など、本発明の特許請求に記載された要旨を逸脱しない範囲で設計変更可能である。
【符号の説明】
【００３２】
1    頭部冷却装置本体
2    頭部冷却キャップ
3    十字形弾性体支持フレーム
4    頭部冷却キャップ固定ベルト
5    固定ベルト用フック
5a   リード線固定具
6    薄型保護キャップ
7    冷却液循環チューブ
7a   供給流路チューブ
7b   返送流路チューブ
8    変換部材
9    冷却発生器
9a   冷却プレート
9b   熱伝素子（ペルチェモジュール）
9c   放熱フィン
9d   放熱側ファン
10   冷却液体貯蔵槽
10A  冷却循環液体
10a  断熱カバー
11   循環ポンプ
12   カップリング接続部
13A  流動液体温度センサーＡ
13a  流動液体温度センサーＡリード線
13B  流動液体温度センサーＢ
14   頭皮温度センサー
14a  頭皮温度センサーリード線
15   接続コネクター
16   電気回路制御部（コンピューター制御）
17   脳波測定用電極部
17a  脳波測定装置
18   コントロールパネル
19   ＡＣ電源部
20   内蔵電源
21   キャリングカート
22   肩掛けベルト
23   リュックサックベルト
【図１】
2014023604.tif 000003
【図２】
2014023604.tif 000004
【図３】
2014023604.tif 000005
【図４】
2014023604.tif 000006
【図５】
2014023604.tif 000007
【図６】
2014023604.tif 000008
【図７】
2014023604.tif 000009
【図８】
2014023604.tif 000010
【図９】
2014023604.tif 000011
【図１０】
2014023604.tif 000012
【図１１】
2014023604.tif 000013